(57)【要約】  界面活性剤系を含む液体洗剤組成物であって、界面活性剤系は、アニオン性界面活性剤と、両性界面活性剤、双極性界面活性剤、及びこれらの混合物からなる群から選択される第一の補助界面活性剤とを含み、アニオン性界面活性剤及び第一の補助界面活性剤が、２．５：１未満の重量比で存在し、組成物が、式（Ｉ）：    【化１】2018522118.tif 000022  （式中、Ｒのうちの２つは、ＮＨ２、（Ｃ１〜Ｃ４）ＮＨ２、及びこれらの混合物からなる群から選択され、残りのＲは、Ｈ、１〜１０個の炭素原子を有する直鎖又は分枝鎖のアルキル又はアルケニルから独立して選択される）の環状ジアミンを更に含む、液体洗剤組成物。
2018522118.tif 000002
【特許請求の範囲】
【請求項１】
界面活性剤系を含む液体洗剤組成物であって、前記界面活性剤系は、アニオン性界面活性剤と、両性界面活性剤、双極性界面活性剤、及びこれらの混合物からなる群から選択される第一の補助界面活性剤とを含み、前記アニオン性界面活性剤及び前記第一の補助界面活性剤が、２．５：１未満の重量比で存在し、前記組成物が、式（Ｉ）：
【化１】
2018522118.tif 000014
（式中、Ｒのうちの２つは、ＮＨ２、（Ｃ１〜Ｃ４）ＮＨ２、及びこれらの混合物からなる群から選択され、残りのＲは、Ｈ、１〜１０個の炭素原子を有する直鎖又は分枝鎖のアルキル又はアルケニルから独立して選択される）の環状ジアミンを更に含む、液体洗剤組成物。
【請求項２】
前記アニオン性界面活性剤及び前記第一の補助界面活性剤が、約２：１〜約１：１の重量比で存在する、請求項１に記載の組成物。
【請求項３】
前記アニオン性界面活性剤が、平均アルコキシル化度が約０．２〜約３であるアルキルアルコキシレートサルフェートを含む、請求項１又は２に記載の組成物。
【請求項４】
前記アニオン性界面活性剤が、平均分枝率が約５％〜約４０％である分枝状アニオン性界面活性剤を含む、請求項１〜３のいずれか一項に記載の組成物。
【請求項５】
前記補助界面活性剤が、アミンオキシドを含む両性界面活性剤である、請求項１〜４のいずれか一項に記載の組成物。
【請求項６】
前記界面活性剤系が、好ましくはそのアルキル鎖中に９〜１５個の炭素原子及びアルコール１モルあたり５〜１２のエチレンオキシド単位を有する、非イオン性界面活性剤、好ましくはアルキルエトキシル化界面活性剤、を含む第二の補助界面活性剤を更に含む、請求項１〜５のいずれか一項に記載の組成物。
【請求項７】
前記アニオン性界面活性剤及び前記非イオン性界面活性剤が、約２．２：１〜約３．５：１の重量比で存在する、請求項６に記載の組成物。
【請求項８】
前記アニオン性界面活性剤の前記第一の補助界面活性剤及び前記第二の補助界面活性剤に対する重量比が、約１：１．０：２５〜約２：１：０．７である、請求項６又は７に記載の組成物。
【請求項９】
前記組成物の１０〜４０重量％の前記界面活性剤系を含む、請求項１〜８のいずれか一項に記載の組成物。
【請求項１０】
２０℃にて蒸留水中１０％溶液で測定されたときに、８〜１０のｐＨを有する、請求項１〜９のいずれか一項に記載の組成物。
【請求項１１】
前記組成物の０．１〜５重量％、好ましくは０．１〜２重量％の前記環状ジアミンを含む、請求項１〜１０のいずれか一項に記載の組成物。
【請求項１２】
残りのＲが、Ｈ、ＣＨ３、及びこれらの混合物から選択される、請求項１〜１１のいずれか一項に記載の組成物。
【請求項１３】
前記２つのＲが、ＮＨ２、（Ｃ１〜Ｃ４）ＮＨ２、及びこれらの混合物からなる群から選択され、１位及び３位に存在する、請求項１〜１２のいずれか一項に記載の組成物。
【請求項１４】
前記環状ジアミンが、
【化２】
2018522118.tif 000015
１，３−ビス（メチルアミン）−シクロヘキサン、
【化３】
2018522118.tif 000016
２−メチルシクロヘキサン−１，４−ジアミン、
【化４】
2018522118.tif 000017
４−メチルシクロヘキサン−１，４−ジアミン、
【化５】
2018522118.tif 000018
シクロヘキサン−１，２−ジアミン、
【化６】
2018522118.tif 000019
シクロヘキサン−１，３−ジアミン、
【化７】
2018522118.tif 000020
シクロヘキサン−１，４−ジアミン、
【化８】
2018522118.tif 000021
イソホロンジアミン、及びこれらの混合物からなる群から選択される、請求項１〜１２のいずれか一項に記載の組成物。
【請求項１５】
前記環状ジアミンが、１，３−ビス（メチルアミン）−シクロヘキサン、２−メチルシクロヘキサン−１，３−ジアミン、４−メチルシクロヘキサン−１，３−ジアミン、及びこれらの混合物からなる群から選択される、請求項１〜１１のいずれか一項に記載の組成物。
【請求項１６】
前記アニオン性界面活性剤が、好ましくは約０．２〜約３の平均エトキシル化度を有するアルキルエトキシル化サルフェート界面活性剤であり、前記第一の補助界面活性剤が、アミンオキシド界面活性剤、好ましくはアルキルジメチルアミンオキシドであり、前記第二の補助界面活性剤が、非イオン性界面活性剤、好ましくはそのアルキル鎖中に９〜１５個の炭素原子及びアルコール１モルあたり５〜１２のエチレンオキシド単位を有するアルキルエトキシル化界面活性剤であり、前記洗浄用アミンが１，３−ビス（アミノメチル）シクロヘキサンである、請求項６〜１５のいずれか一項に記載の組成物。
【請求項１７】
前記アニオン性界面活性剤が、好ましくは約０．２〜約３の平均エトキシル化度を有するアルキルエトキシル化サルフェート界面活性剤であり、前記第一の補助界面活性剤が、アミンオキシド界面活性剤、好ましくはアルキルジメチルアミンオキシドであり、前記第二の補助界面活性剤が、非イオン性界面活性剤、好ましくはそのアルキル鎖中に９〜１５個の炭素原子及びアルコール１モルあたり５〜１２のエチレンオキシド単位を有するアルキルエトキシル化界面活性剤であり、前記洗浄用アミンが、２−メチルシクロヘキサン−１，３−ジアミン、４−メチルシクロヘキサン−１，３−ジアミン、及びこれらの混合物からなる群から選択される、請求項６〜１５のいずれか一項に記載の組成物。
【請求項１８】
前記組成物が、食器手洗い用洗剤組成物である、請求項１〜１７のいずれか一項に記載の組成物。
【請求項１９】
食器類を手洗いする方法であって、
ｉ）請求項１〜１８のいずれか一項に記載の洗剤組成物を、好ましくは未希釈形態で、食器類又は清掃器具上に送達する工程と、
ｉｉ）水の存在下で、前記食器類を前記洗剤組成物で洗浄する工程と、
ｉｉｉ）任意選択で、前記食器類をすすぐ工程と、を含む、方法。
【請求項２０】
食器の手洗いにおいて油脂洗浄性を提供するための、請求項１〜１９のいずれか一項に記載の組成物の使用。
【請求項２１】
食器の手洗いにおいて良好なすすぎ感触を提供するための、請求項１〜１８のいずれか一項に記載の組成物の使用。
【発明の詳細な説明】
【技術分野】
【０００１】
本発明は、プラスチックなどの硬質表面からの改善された油脂の除去、及び改善されたすすぎ感触を提供する液体洗剤組成物に関する。
【背景技術】
【０００２】
洗剤の配合者は、洗剤組成物の性能を改善することを常に目標としている。硬質表面を洗浄する際に遭遇する最大の課題のうちの１つは、油汚れの除去、特に、プラスチックなどの疎水性製品を含む食器類からの油汚れの除去である。
【０００３】
食器の手洗いにおける課題は、疎水性製品からの油脂の除去だけではなく、すすぎの間に良好な感触を提供することである。時として、すすぎ中の製品の感触が脂っぽい又はぬるぬるする場合があり、これはユーザーに嫌われる感触である。
【発明の概要】
【発明が解決しようとする課題】
【０００４】
したがって、食器類からの良好な油脂の除去をもたらすと同時に、すすぎ中に食器類がぬるぬるした感触にならないようにする液体洗剤組成物が求められている。
【課題を解決するための手段】
【０００５】
本発明は、特定の界面活性剤系と特定の環状ジアミンとを含む液体洗剤組成物を提供することによって、この必要性に取り組む。洗剤組成物は、好ましくは、食器手洗い用洗剤組成物である。界面活性剤系は、アニオン性界面活性剤及び第一の補助界面活性剤を特定の重量比で含み、かつ、任意選択であるが好ましくは、第二の補助界面活性剤を含む。第一の補助界面活性剤は、両性界面活性剤、双極性界面活性剤、及びこれらの混合物からなる群から選択される。アニオン性界面活性剤の第一の補助界面活性剤に対する重量比は、約２．５：１未満、好ましくは約１：１超である。
【０００６】
本発明の１つの利点は、洗浄する製品にぬるぬるした感触を提供せず、かつ、非常に効率的な油脂の除去をもたらすことである。特に好ましいアニオン性界面活性剤と第一の補助界面活性剤との重量比は、油脂の除去及びぬるぬる感の欠如の観点から、２：１〜１：１の比である。
【０００７】
本明細書に用いるのに好ましい環状ジアミンとしては、１，３−ビス（アミノメチル）シクロヘキサン（１，３−ＢＡＣ）、２−メチルシクロヘキサン−１，３−ジアミン、４−メチルシクロヘキサン−１，３−ジアミン、及びこれらの混合物が挙げられる。１，３−ＢＡＣ、２−メチルシクロヘキサン−１，３−ジアミン、４−メチルシクロヘキサン−１，３−ジアミン、及びこれらの混合物を含む組成物は、食器類からの非常に良好な油脂の除去をもたらし、食器類はすすぎ中にぬるぬるした感触にならない。
【０００８】
アニオン性界面活性剤は任意のアニオン性洗浄界面活性剤であってよく、好ましくはアニオン性界面活性剤は、サルフェートアニオン性界面活性剤、より好ましくはアルキルサルフェート及び／又はアルコキシル化サルフェートアニオン性界面活性剤、好ましくは、約０．２〜約３、好ましくは約０．２〜約２、最も好ましくは約０．２〜約１．０の平均アルコキシル化度を有するアルキルアルコキシル化アニオン性界面活性剤を含む。更に好ましいのは、約５％〜約４０％の重量平均分枝率を有する分枝状アニオン性界面活性剤、より好ましくは、約５％〜約４０％の重量平均分枝率を有するアルキルアルコキシル化アニオン性界面活性剤である。本明細書に用いるのに特に好ましいアニオン性界面活性剤は、約０．２〜約１の平均アルコキシル化度、及び約５％〜約４０％の重量平均分枝率を有する、アルキルアルコキシル化アニオン性界面活性剤である。
【０００９】
好ましくは、本発明の組成物は、組成物の約１０重量％〜約４０重量％、好ましくは約１５重量％〜約３５重量％、より好ましくは約１８重量％〜約３２重量％の界面活性剤系を含む。好ましくは、本発明の組成物は、組成物の約５重量％〜約３０重量％、より好ましくは約８重量％〜約２５重量％、更により好ましくは約１０重量％〜約２０重量％のアニオン性界面活性剤を含む。
【００１０】
好ましくは、第一の補助界面活性剤はアミンオキシドを含み、より好ましくは、第一の補助界面活性剤は、第一の補助界面活性剤の少なくとも６０重量％のアミンオキシド界面活性剤を含む。好ましくは、第一の補助界面活性剤は、第一の補助界面活性剤の８０重量％超、より好ましくは９９重量％超のアミンオキシドを含む。本明細書に用いるのに好ましいアミンオキシド界面活性剤は、アルキルジメチルアミンオキシドである。
【００１１】
好ましくは、本発明の組成物は、第二の補助界面活性剤を含む。好ましくは、アニオン性界面活性剤及び第二の補助界面活性剤は、約２．２：１〜約３．５：１の重量比で本発明の組成物中に存在する。
【００１２】
油脂洗浄性及び良好なすすぎ感触の点で特に好ましい組成物は、アニオン性界面活性剤と、第一の補助界面活性剤と、第二の補助界面活性剤とを、約１：１：０．２５〜２：１：０．７の重量比で含む。
【００１３】
好ましくは、本発明の組成物は、ヒドロトロープ、より好ましくはクメンスルホン酸ナトリウムを含む。ヒドロトロープは、組成物のレオロジー特性に役立つ。具体的には、希釈したときに組成物を減粘させるのに役立ち、洗浄活性物質のより迅速な放出及びより迅速な洗浄に貢献し得る。これは、組成物が食器の手洗いにおいて使用され、食器の手洗いが、水がいっぱい入っている流し台に組成物を送達するのではなく、清掃器具上に組成物を送達することによって行われる場合に、より重要であり得る。
【００１４】
本発明の別の態様によると、本発明の組成物を使用する食器の手洗いの方法が提供される。
【００１５】
油脂洗浄性及すすぎ中の良好な感触を提供するための、本発明の組成物の使用もまた提供される。
【００１６】
本発明の第１の態様に関連して説明される本発明の組成物の各要素は、変更すべきところは変更して、発明の他の態様に対しても適用される。
【発明を実施するための形態】
【００１７】
本明細書で使用するとき、「液体洗剤組成物」とは、食器、又は硬質表面（例えば、床、調理台等）、洗濯物、毛髪（例えば、シャンプー）、身体等を含む、様々な洗浄用途において使用される組成物を指す。本発明の好ましい液体洗剤組成物は、「食器用液体洗剤組成物」であり、これは、手動で（すなわち、手洗いで）食器を洗う際に使用される組成物を指す。そのような組成物は、一般的に、泡立ち、つまり発泡性が事実上高い。「食器」という用語は、セラミック、陶磁器、金属、ガラス、プラスチック（ポリエチレン、ポリプロピレン、ポリスチレン等）、木材等で作製された食器、グラス、鍋、フライパン、深皿、平皿等を含む。本発明の組成物は、プラスチック製品を含む食器類から油脂を除去するのにとりわけ適している。
【００１８】
界面活性剤系
本発明の組成物の界面活性剤系は、アニオン性界面活性剤、第一の補助界面活性剤、及び、任意選択であるが好ましくは、第二の補助界面活性剤を含む。液体洗剤組成物は、組成物の約１０重量％〜約４０重量％、好ましくは約１５重量％〜約３５重量％、より好ましくは約１８重量％〜約３２重量％の界面活性剤系を含む。
【００１９】
アニオン性界面活性剤
本発明の組成物は、好ましくは、組成物の５重量％〜３０重量％、より好ましくは８重量％〜２５重量％、特に１０重量％〜２０重量％のアニオン性界面活性剤を含む。
【００２０】
アニオン性界面活性剤は単一の界面活性剤であることができるが、通常はアニオン性界面活性剤の混合物である。好ましくはアニオン性界面活性剤は、サルフェート界面活性剤、より好ましくは、アルキルサルフェート、アルキルアルコキシサルフェート、及びこれらの混合物からなる群から選択されるサルフェート界面活性剤を含む。本明細書に用いるのに好ましいアルキルアルコキシサルフェートは、アルキルエトキシサルフェートである。
【００２１】
本発明のアルキルサルフェート界面活性剤は、好ましくは式：Ｒ１Ｏ（Ａ）ｘＳＯ３Ｍ（式中、可変部は、本明細書に定義する通りである）を有する。「Ｒ１」は、Ｃ１〜Ｃ２１、好ましくはＣ８〜Ｃ２０、より好ましくはＣ１０〜Ｃ１８のアルキル又はアルケニル基である。アルキル又はアルケニル基は、分枝状又は直鎖状であってよい。アルキル又はアルケニル基が分枝状である場合、好ましくは、Ｃ１〜４アルキル分枝単位を含む。アルキルサルフェート界面活性剤の重量平均分枝パーセントは、好ましくは１０％超、より好ましくは１５％〜８０％、最も好ましくは２０％〜４０％、あるいは２１％〜２８％、あるいはこれらの組み合わせである。分枝状アルキルサルフェート界面活性剤は、単一のアルキルサルフェート界面活性剤であってもよく、又はアルキルサルフェート界面活性剤の混合物であってもよい。単一の界面活性剤である場合、分枝パーセントとは、界面活性剤が由来する元のアルコールにおいて分枝しているヒドロカルビル鎖の重量パーセントを指す。界面活性剤の混合物である場合、分枝パーセントは、重量平均であり、以下の式：分枝の重量平均（％）＝［（ｘ１＊アルコール１中の分枝状アルコール１のｗｔ％＋ｘ２＊アルコール２中の分枝状アルコール２のｗｔ％＋．．．．）／（ｘ１＋ｘ２＋．．．）］＊１００（式中、ｘ１、ｘ２は、アニオン性界面活性剤の出発物質として用いたアルコールの全アルコール混合物中の各アルコールの重量（グラム）である）に従って定義される。重量平均分枝度の計算においては、分枝基を有しないアルキルサルフェート界面活性剤成分の重量も含めるべきである。
【００２２】
上記式に戻ると、「Ａ」は、アルコキシ基、好ましくはＣ１〜Ｃ５アルコキシ基、より好ましくはＣ１〜Ｃ３アルコキシ基であり、更により好ましくは、アルコキシ基は、エトキシ、プロポキシ、及びこれらの混合物から選択される。一実施形態では、アルコキシ基は、エトキシである。「ｘ」は、１未満、好ましくは０〜１未満、より好ましくは０．１〜０．９、あるいは０．２〜０．８、あるいはこれらの組み合わせの平均モルパーセントを表す。
【００２３】
分かりやすくするために、上記式は、特定のアルキルアルコキシサルフェートについて記載し、より好ましくは、上記式は、モル平均アルコキシル化パーセント（すなわち、変数「ｘ」）が１未満になるような、アルキルサルフェート及びアルキルアルコキシサルフェートの混合物について記載する。界面活性剤の混合物である場合、平均アルコキシル化度は、平均モルパーセントであり、以下の式：モル平均アルコキシル化度＝［（ｙ０＊０＋ｙ１＊１＋ｙ２＊２＋．．．．）／（ｙ０＋ｙ１＋ｙ２＋．．．．）］（式中、ｙ０、ｙ１、ｙ２、．．．．は、それぞれ、本発明の洗剤中に存在する０、１つ、２つのアルコキシ単位を有する硫酸化界面活性剤の全アルキル混合物中の各硫酸化界面活性剤のモルパーセントである）に従って定義される。例えば、以下の式：ＣＨ３（ＣＨ２）１３ＳＯ４Ｎａのアルキルサルフェートは、ｙ値０を有する（すなわち、ｙ０）。以下の式：ＣＨ３（ＣＨ２）１３（ＯＣＨ２ＣＨ２）ＳＯ４Ｎａのアルキルエトキシサルフェートは、ｙ値１を有する（すなわち、ｙ１）。以下の式：ＣＨ３（ＣＨ２）１０（ＯＣＨ２ＣＨ２）４ＳＯ４Ｎａのアルキルエトキシサルフェートは、ｙ値４を有する（すなわち、ｙ４）。３つの分子のそれぞれのモル量を考慮して、最終的に、（式：Ｒ１Ｏ（Ａ）ｘＳＯ３Ｍにおける）変数「ｘ」の平均モルパーセントを計算する。
【００２４】
式Ｒ１Ｏ（Ａ）ｘＳＯ３Ｍに関して、「Ｍ」は、カチオンであり、好ましくは、カチオンは、アルカリ金属、アルカリ土類金属、アンモニウム基、又はアルカノールアンモニウム基から選択され、より好ましくは、カチオンはナトリウムである。
【００２５】
洗剤組成物は、任意選択で、他のアニオン性界面活性剤を更に含んでもよい。非限定的な例としては、スルホネート、カルボキシレート、スルホスクシネート、及びスルホアセテートアニオン性界面活性剤が挙げられる。
【００２６】
第一の補助界面活性剤
本発明の組成物は、第一の補助界面活性剤を含む。組成物は、好ましくは、組成物の３重量％〜２５重量％、より好ましくは４重量％〜２０重量％、特に５重量％〜１５重量％を含む。第一の補助界面活性剤は、両性界面活性剤、双極性界面活性剤、及びこれらの混合物からなる群から選択される。本発明の組成物は、好ましくは、両性界面活性剤としてのアミンオキシド、又は双極性界面活性剤としてのベタイン、又は当該アミンオキシド及びベタイン界面活性剤の混合物を含む。
【００２７】
好ましくは、第一の補助界面活性剤は、両性界面活性剤を含む。両性界面活性剤は、好ましくは、少なくとも４０重量％、より好ましくは少なくとも５０重量％、より好ましくは少なくとも６０重量％、特に少なくとも８０重量％のアミンオキシド界面活性剤を含む。あるいは、第一の補助界面活性剤は、両性及び双極性界面活性剤を含み、好ましくは、両性及び双極性界面活性剤は、約２：１〜約１：２の重量比で存在し、より好ましくは、両性界面活性剤は、アミンオキシド界面活性剤であり、双極性界面活性剤は、ベタインである。最も好ましくは、補助界面活性剤は、アミンオキシド、特に、アルキルジメチルアミンオキシドである。
【００２８】
両性界面活性剤の中でも、アミンオキシド、特に、ココジメチルアミンオキシド又はココアミドプロピルジメチルアミンオキシドが最も好ましい。アミンオキシドは、直鎖状又は中分枝状アルキル部分を有し得る。典型的な直鎖状アミンオキシドとしては、１つのＲ１  Ｃ８〜１８アルキル部分、並びにＣ１〜３アルキル基及びＣ１〜３ヒドロキシアルキル基からなる群から選択される２つのＲ２及びＲ３部分を含有する水溶性アミンオキシドが挙げられる。好ましいアミンオキシドは、式：Ｒ１−Ｎ（Ｒ２）（Ｒ３）Ｏ（式中、Ｒ１は、Ｃ８〜１８アルキルであり、Ｒ２及びＲ３は、メチル、エチル、プロピル、イソプロピル、２−ヒドロキシエチル（hydroxethyl）、２−ヒドロキシプロピル、及び３−ヒドロキシプロピルからなる群から選択される）によって特徴付けられる。直鎖状アミンオキシド界面活性剤は、特に、直鎖状Ｃ１０〜Ｃ１８アルキルジメチルアミンオキシド及び直鎖状Ｃ８〜Ｃ１２アルコキシエチルジヒドロキシエチルアミンオキシドを含んでよい。好ましいアミンオキシドとしては、直鎖Ｃ１０、直鎖Ｃ１０〜Ｃ１２、及び直鎖Ｃ１２〜Ｃ１４アルキルジメチルアミンオキシドが挙げられる。
【００２９】
双極性界面活性剤の中でも、アルキルベタイン、アルキルアミドベタイン、アミダゾリニウムベタイン、スルホベタイン（ＩＮＣＩスルタイン）並びにホスホベタインなどのベタインが最も好ましく、好ましくは次の式（Ｉ）に合致する：
Ｒ１−［ＣＯ−Ｘ（ＣＨ２）ｎ］ｘ−Ｎ＋（Ｒ２）（Ｒ３）−（ＣＨ２）ｍ−［ＣＨ（ＯＨ）−ＣＨ２］ｙ−Ｙ−（Ｉ）（式中、
Ｒ１は飽和又は不飽和Ｃ６〜２２アルキル残基であり、好ましくはＣ８〜１８アルキル残基、特に飽和Ｃ１０〜１６アルキル残基、例えば飽和Ｃ１２〜１４アルキル残基であり、
Ｘは、ＮＨ、Ｃ１〜４アルキル残基Ｒ４を有するＮＲ４、Ｏ又はＳであり、
ｎは、１〜１０の数、好ましくは２〜５、特に３であり、
ｘは、０又は１、好ましくは１であり、
Ｒ２、Ｒ３は独立して、ヒドロキシエチル、好ましくはメチルなどのヒドロキシ置換される可能性のあるＣ１〜４アルキル残基であり、
ｍは１〜４の数、特に１、２又は３であり、
ｙは、０又は１であり、
Ｙは、ＣＯＯ、ＳＯ３、ＯＰＯ（ＯＲ５）Ｏ又はＰ（Ｏ）（ＯＲ５）Ｏであり、Ｒ５は水素原子Ｈ又はＣ１〜４アルキル残基である）。
【００３０】
好ましいベタインは、式（Ｉａ）のアルキルベタイン、式（Ｉｂ）のアルキルアミドベタイン、式（Ｉｃ）のスルホベタイン、及び式（Ｉｄ）のアミドスルホベタインである；
Ｒ１−Ｎ＋（ＣＨ３）２−ＣＨ２ＣＯＯ−                            （Ｉａ）
Ｒ１−ＣＯ−ＮＨ（ＣＨ２）３−Ｎ＋（ＣＨ３）２−ＣＨ２ＣＯＯ−      （Ｉｂ）
Ｒ１−Ｎ＋（ＣＨ３）２−ＣＨ２ＣＨ（ＯＨ）ＣＨ２ＳＯ３−            （Ｉｃ）
Ｒ１−ＣＯ−ＮＨ−（ＣＨ２）３−Ｎ＋（ＣＨ３）２−ＣＨ２ＣＨ（ＯＨ）ＣＨ２ＳＯ３−（Ｉｄ）（式中、Ｒ１１は、式Ｉと同じ意味である）。特に好ましいベタインは、カルボベタイン［式中、Ｙ−＝ＣＯＯ−］、特に、式（Ｉａ）及び（Ｉｂ）のカルボベタインであり、より好ましくは、式（Ｉｂ）のアルキルアミドベタインである。
【００３１】
好適なベタイン及びスルホベタインの例は、アーモンドアミドプロピルベタイン、アプリコットアミドプロピルベタイン、アボカドアミドプロピルベタイン、ババスアミドプロピルベタイン、ベヘナミドプロピルベタイン、ベヘニルベタイン、ベタイン、キャノーラミドプロピルベタイン、カプリル／カプラミドプロピルベタイン、カルニチン、セチルベタイン、コカミドエチルベタイン、コカミドプロピルベタイン、コカミドプロピルヒドロキシスルタイン、ココベタイン、ココヒドロキシスルタイン、ココ／オレアミドプロピルベタイン、ココスルタイン、デシルベタイン、ジヒドロキシエチルオレイルグリシネート、ジヒドロキシエチル大豆グリシネート、ジヒドロキシエチルステアリルグリシネート、ジヒドロキシエチルタローグリシネート、ＰＧ−ベタインのプロピルジメチコーン、エルカミドプロピルヒドロキシスルタイン、水素添加タローベタイン、イソステアラミドプロピルベタイン、ラウラミドプロピルベタイン、ラウリルベタイン、ラウリルヒドロキシスルタイン、ラウリルスルタイン、ミルクアミドプロピルベタイン、ミンクアミドプロピルベタイン、ミリスタミドプロピルベタイン、ミリスチルベタイン、オレアミドプロピルベタイン、オレアミドプロピルヒドロキシスルタイン、オレイルベタイン、オリーブアミドプロピルベタイン、ヤシアミドプロピルベタイン、パルミタミドプロピルベタイン、パルミトイルカルニチン、パーム核脂肪酸アミドプロピルベタイン、ポリテトラフルオロエチレンアセトキシプロピルベタイン、リシノール酸アミドプロピルベタイン、セサミドプロピルベタイン、ソイアミドプロピルベタイン、ステアラミドプロピルベタイン、ステアリルベタイン、タローアミドプロピルベタイン、タローアミドプロピルヒドロキシスルタイン、タローベタイン、タロージヒドロキシエチルベタイン、ウンデシレンアミドプロピルベタイン、及び小麦胚芽アミドプロピルベタインである［ＩＮＣＩに従って表記］。
【００３２】
例えば、好ましいベタインは、ココアミドプロピルベタイン（ココアミドプロピルベタイン）である。
【００３３】
第二の補助界面活性剤
好ましくは、本発明の組成物は、第二の補助界面活性剤としての非イオン性界面活性剤を含む。組成物の好ましくは０．１〜１０重量％、より好ましくは１重量％〜８重量％、特に３重量％〜６重量％の非イオン性界面活性剤。好適な非イオン性界面活性剤としては、脂肪族アルコールと１〜２５モルのアルキレンオキシド、好ましくは、エチレンオキシドとの縮合生成物が挙げられる。脂肪族アルコールのアルキル鎖は、直鎖又は分枝鎖状、第１級又は第２級でよく、一般的に８〜２２個の炭素原子を含有する。８〜１８個の炭素原子、好ましくは１０〜１５個の炭素原子、あるいは９〜１１個の炭素原子、あるいは１２〜１４個の炭素原子、あるいはこれらの組み合わせを含有するアルキル基を有するアルコールと、アルコール１モルあたり２〜１８モル、好ましくは２〜１５モル、より好ましくは５〜１２モルのエチレンオキシドとの縮合生成物が特に好ましい。好ましい非イオン性界面活性剤としては、脂肪族アルコールと１〜２５モルのエチレンオキシド、好ましくは、８〜１８個の炭素原子を含有するアルキル基を有するアルコールとアルコール１モルあたり２〜１８モルのエチレンオキシドとの縮合生成物が挙げられる。
【００３４】
式：Ｒ２Ｏ（ＣｎＨ２ｎＯ）ｔ（グリコシル）ｘ（式（ＩＩＩ））（式中、式（ＩＩＩ）のＲ２は、アルキル、アルキルフェニル、ヒドロキシアルキル、ヒドロキシアルキルフェニル、及びこれらの混合物からなる群から選択され、アルキル基は、１０〜１８個、好ましくは１２〜１４個の炭素原子を含有し、式（ＩＩＩ）のｎは、２又は３、好ましくは２であり、式（ＩＩＩ）のｔは、０〜１０、好ましくは０であり、式（ＩＩＩ）のｘは、１．３〜１０、好ましくは１．３〜３、最も好ましくは１．３〜２．７である）を有するアルキルポリグリコシドも好適である。グリコシルは、好ましくはグルコースから誘導される。アルキルグリセロールエーテル及びソルビタンエステルも同様に好適である。
【００３５】
式（ＩＶ）を有する脂肪酸アミド界面活性剤もまた好適である：
【００３６】
【化１】
2018522118.tif 000003
（式中、式（ＩＶ）のＲ６は、７〜２１個、好ましくは９〜１７個の炭素原子を含有するアルキル基であり、式（ＩＶ）の各Ｒ７は、水素、Ｃ１〜Ｃ４アルキル、Ｃ１〜Ｃ４ヒドロキシアルキル、及び−（Ｃ２Ｈ４Ｏ）ｘＨからなる群から選択され、ここで式（ＩＶ）のｘは、１から３まで変動する）。好ましいアミドは、Ｃ８〜Ｃ２０のアンモニアアミド、モノエタノールアミド、ジエタノールアミド、及びイソプロパノールアミドである。
【００３７】
最も好ましくは、非イオン性界面活性剤は、脂肪族アルコールとエチレンオキシドとの縮合生成物である。
【００３８】
好ましくは、本発明の組成物は、カチオン性界面活性剤を含まないか又は実質的に含まない。
【００３９】
環状ジアミン
本発明の組成物は、好ましくは、組成物の約０．１重量％〜約１０重量％、より好ましくは約０．２重量％〜約５重量％、特に約０．３重量％〜約２重量％の、式（Ｉ）の環状ジアミンを含む。
【００４０】
本明細書における用語「環状ジアミン」は、単一の洗浄用アミン及びこれらの混合物を包含する。アミンは、アミンが使用される洗浄媒体のｐＨに応じてプロトン化され得る。
【００４１】
式（Ｉ）の環状ジアミン：
【００４２】
【化２】
2018522118.tif 000004
置換基Ｒ（Ｒ１〜Ｒ６、Ｒ１’〜Ｒ６’）のうちの２つは、ＮＨ２、（Ｃ１〜Ｃ４）ＮＨ２、及びこれらの混合物からなる群から独立して選択され、残りの置換基Ｒは、Ｈ、１〜１０個の炭素原子を有する直鎖又は分枝鎖のアルキル又はアルケニルから独立して選択される。
【００４３】
式（Ｉ）のアミンは、２つの一級アミン官能基を有する環状アミンである。一級アミンは、環内の任意の位に存在してもよいが、油脂洗浄性の観点から、一級アミンが１位、３位に存在する場合、良好な性能が得られることが見出されている。油脂洗浄性の観点から、置換基のうち１つが−ＣＨ３であり、残りがＨであるアミンが有利であることもまた見出されている。
【００４４】
本明細書に用いるのに好ましい環状ジアミンは、
【００４５】
【化３】
2018522118.tif 000005
１，３−ビス（メチルアミン）−シクロヘキサン、
【００４６】
【化４】
2018522118.tif 000006
２−メチルシクロヘキサン−１，４−ジアミン、
【００４７】
【化５】
2018522118.tif 000007
４−メチルシクロヘキサン−１，４−ジアミン、
【００４８】
【化６】
2018522118.tif 000008
シクロヘキサン−１，２−ジアミン、
【００４９】
【化７】
2018522118.tif 000009
シクロヘキサン−１，３−ジアミン、
【００５０】
【化８】
2018522118.tif 000010
シクロヘキサン−１，４−ジアミン、
【００５１】
【化９】
2018522118.tif 000011
イソホロンジアミン、及びこれらの混合物からなる群から選択される。
【００５２】
１，３−ビス（メチルアミン）−シクロヘキサン、２−メチルシクロヘキサン−１，３−ジアミン、４−メチルシクロヘキサン−１，３−ジアミン、及びこれらの混合物からなる群から選択される環状ジアミンが、本明細書に用いるのに特に好ましい。１，３−ビス（メチルアミン）−シクロヘキサンは、本明細書に用いるのに特に好ましい。２−メチルシクロヘキサン−１，３−ジアミン、４−メチルシクロヘキサン−１，３−ジアミンの混合物もまた、本明細書に用いるのに好ましい。
【００５３】
水
液体洗剤組成物は、好ましくは、水を含む。水は、組成物に直接添加してもよく、又は原材料と共に組成物に配合してもよい。いずれの場合も、本明細書における組成物の総含水量は、食器用液体洗剤組成物の１０重量％〜９５重量％の水を含み得る。あるいは、組成物は、食器用液体洗剤組成物の２０重量％〜９５重量％、あるいは３０重量％〜９０重量％、又は４０重量％〜８５重量％、あるいはこれらの組み合わせの水を含み得る。
【００５４】
有機溶媒
本組成物は、任意選択で、式（Ｉ）の環状ジアミンとは異なる有機溶媒を含んでもよい。好適な有機溶媒としては、Ｃ４〜１４エーテル及びジエーテル、ポリオール、グリコール、アルコキシル化グリコール、Ｃ６〜Ｃ１６グリコールエーテル、アルコキシル化芳香族アルコール、芳香族アルコール、脂肪族直鎖又は分枝状アルコール、アルコキシル化脂肪族直鎖又は分枝状アルコール、アルコキシル化Ｃ１〜Ｃ５アルコール、Ｃ８〜Ｃ１４アルキル及びシクロアルキル炭化水素及びハロ炭化水素、並びにこれらの混合物が挙げられる。好ましくは、有機溶媒としては、アルコール、グリコール、及びグリコールエーテル、あるいはアルコール及びグリコールが挙げられる。一実施形態では、液体洗剤組成物は、組成物の約０重量％から５０重量％未満までの溶媒を含む。存在する場合、液体洗剤組成物は、液体洗剤組成物の０．０１重量％〜２０重量％、あるいは０．５重量％〜１５重量％、あるいは１重量％〜１０重量％の当該有機溶媒を含有する。具体的な溶媒の非限定例としては、プロピレングリコール、ポリプロピレングリコール、プロピレングリコールフェニルエーテル、エタノール、及びこれらの組み合わせが挙げられる。一実施形態では、組成物は、組成物の０．０１重量％〜２０重量％の有機溶媒を含み、有機溶媒は、グリコール、ポリアルキレングリコール、グリコールエーテル、エタノール、及びこれらの混合物から選択される。
【００５５】
ヒドロトロープ
液体洗剤組成物は、任意選択で、食器用液体洗剤組成物が水に相溶性になるか又はより相溶性になるように、有効量、すなわち、約０％〜約１５％、又は約０．５％〜１０％、又は約１％〜６％、又は０．１％〜３％、又はこれらの組み合わせのヒドロトロープを含む。本明細書に用いるのに好適なヒドロトロープとしては、米国特許第３，９１５，９０３号に開示されているような、アニオン型のヒドロトロープ、特にキシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物が挙げられる。一実施形態では、本発明の組成物は、等方性である。等方性組成物は、水中油型エマルション及びラメラ相組成物とは区別される。偏光顕微鏡は、組成物が等方性であるかどうかを評価することができる。例えば、Ｔｈｅ  Ａｑｕｅｏｕｓ  Ｐｈａｓｅ  Ｂｅｈａｖｉｏｕｒ  ｏｆ  Ｓｕｒｆａｃｔａｎｔｓ，Ｒｏｂｅｒｔ  Ｌａｕｇｈｌｉｎ，Ａｃａｄｅｍｉｃ  Ｐｒｅｓｓ，１９９４，ｐｐ．５３８−５４２を参照のこと。一実施形態では、等方性食器用洗剤組成物を提供する。一実施形態では、組成物は、組成物の０．１重量％〜３重量％のヒドロトロープを含み、好ましくは、ヒドロトロープは、キシレンスルホン酸ナトリウム、キシレンスルホン酸カリウム、及びキシレンスルホン酸アンモニウム、トルエンスルホン酸ナトリウム、トルエンスルホン酸カリウム、及びトルエンスルホン酸アンモニウム、クメンスルホン酸ナトリウム、クメンスルホン酸カリウム、及びクメンスルホン酸アンモニウム、並びにこれらの混合物から選択される。
【００５６】
カルシウム／マグネシウムイオン
カルシウムイオン及び／又はマグネシウムイオン、好ましくは、マグネシウムイオンは、典型的には、液体洗剤組成物の０．０１重量％〜１．５重量％、好ましくは０．０１５重量％〜１重量％、より好ましくは０．０２５重量％〜０．５重量％の活性レベルで、好ましくは、水酸化物、塩化物、酢酸塩、硫酸塩、ギ酸塩、酸化物、又は硝酸塩として本発明の組成物に添加される。一実施形態では、組成物は、組成物の０．０１重量％〜１．５重量％のカルシウムイオン若しくはマグネシウムイオン、又はこれらの混合物、好ましくは、マグネシウムイオンを含む。
【００５７】
補助成分
本明細書における液体洗剤組成物は、任意選択で、液体洗剤組成物で使用するのに好適な多数の他の補助成分、例えば、香料、着色剤、真珠光沢剤、乳白剤、泡安定剤／泡増強剤、洗浄及び／又は光沢ポリマー、レオロジー調整ポリマー、構造化剤、キレート剤、スキンケア活性物質、懸濁粒子、酵素、固化防止剤、粘度調整剤（viscosity trimming agent）（例えば、ＮａＣｌ、並びに他の一価塩、二価塩、及び三価塩等の塩）、防腐剤、並びにｐＨ調整及び／又は緩衝手段（例えば、クエン酸等のカルボン酸、ＨＣｌ、ＮａＯＨ、ＫＯＨ、アルカノールアミン、リン酸及びスルホン酸、炭酸ナトリウム等の炭酸塩、重炭酸塩、セスキ炭酸塩、ホウ酸塩、ケイ酸塩、リン酸塩、イミダゾール等）を更に含んでもよい。
【００５８】
ｐＨ
本明細書における液体洗剤組成物は、好ましくは、８〜１０、あるいは８．５〜９．５、あるいはこれらの組み合わせに調整されたｐＨを有する。ｐＨは、脱イオン水で１０重量％生成物濃度（すなわち、１０重量％生成物及び９０重量％水）に希釈した液体洗剤組成物によって求められる。組成物のｐＨは、当該技術分野において公知であるｐＨ調整及び／又は緩衝手段を使用して調整することができる。
【００５９】
粘度
本発明の液体洗剤組成物は、２０℃で１センチポアズ（ｃｐｓ）〜５，０００ｃｐｓ、あるいは１０ｃｐｓ〜２，０００ｃｐｓ、又は５０ｃｐｓ〜１，５００ｃｐｓ、又は１００ｃｐｓ〜１，０００ｃｐｓ、あるいはこれらの組み合わせの粘度を有する単相ニュートン又は非ニュートン組成物であり得る。
【００６０】
粘度は、２０℃、スピンドル番号３１でＢＲＯＯＦＩＥＬＤ  ＤＶ−Ｅ粘度計を用いて測定される。粘度に応じて、以下の毎分回転数（ｒｐｍ）を用いるべきである：３００ｃｐｓ〜５００ｃｐｓ未満では５０ｒｐｍ；５００ｃｐｓ〜１，０００ｃｐｓ未満では２０ｒｐｍ；１，０００ｃｐｓ〜１，５００ｃｐｓ未満では１２ｒｐｍ；１，５００ｃｐｓ〜２，５００ｃｐｓ未満では１０ｒｐｍ；２，５００ｃｐｓ以上では５ｒｐｍ。３００ｃｐｓ未満の粘度は、１２ｒｐｍにてスピンドル番号１８で測定される。
【００６１】
包装
本発明の液体洗剤組成物は、使用のために液体洗剤組成物を供給するための任意の好適なパッケージに包装してよい。好ましい一実施形態では、パッケージは、ポリエチレンテレフタレート、高密度ポリエチレン、低密度ポリエチレン、又はこれらの組み合わせで構成されてもよい。更に、好ましくは、組成物がキャップの開口部を通ってボトルを出るように、パッケージは、パッケージの上部にあるキャップを介して分注されてもよい。キャップは、プッシュプルキャップ又は押し上げふた式キャップであってよい。
【００６２】
本発明の方法
本発明の方法は、以下の工程を含む。
ｉ）未希釈形態の洗剤組成物を食器類又は清掃器具上に送達する工程。「未希釈形態」とは、本明細書において、組成物を水で予め希釈することなく、洗剤組成物が食器類又は清掃器具上にそのまま送達されることを意味する。
ｉｉ）水の存在下で、食器類を洗剤組成物で洗浄する工程。水は、食器類を蛇口の下に置いて清掃器具を濡らすことなどによって存在し得る。
ｉｉｉ）任意選択で、食器類をすすぐ工程。
【００６３】
本明細書に開示した寸法及び値は、記載された正確な数値に厳密に限定されるものと理解されるべきではない。むしろ、特に断らない限り、そのような各寸法は、記載された値とその値の周辺の機能的に同等の範囲の両方を意味するものとする。例えば、「４０ｍｍ」として開示される寸法は、「約４０ｍｍ」を意味するものとする。
【実施例】
【００６４】
（実施例１）
各原材料を混合することによって以下の組成物を調製した。
【００６５】
【表１】
2018522118.tif 000012
ＡＥＳ：平均エトキシル化度が０．６のＣ１２〜１３アルキルエトキシレートサルフェート
ＡＯ：Ｃ１２〜１４ジメチルアミンオキシド
ＮＩ：Ｃ１０ＥＯ８
１，３−ＢＡＣ＝１，３−ビス（アミノメチル）シクロヘキサン
ＰＰＧ：分子量２，０００のポリプロピレングリコール
【００６６】
（実施例２）
各原材料を混合することによって以下の組成物を調製した。
【００６７】
【表２】
2018522118.tif 000013
ＡＥＳ：平均エトキシル化度が０．６のＣ１２〜１３アルキルエトキシレートサルフェート
ＡＯ：Ｃ１２〜１４ジメチルアミンオキシド
ＮＩ：Ｃ１０ＥＯ８
Ｂａｘｘｏｄｕｒ  ＥＣＸ２１０：４−メチルシクロヘキサン−１，３−ジアミン及び２−メチルシクロヘキサン−１，３−ジアミンの混合物、ＢＡＳＦから入手可能。
ＰＰＧ：分子量２，０００のポリプロピレングリコール
【００６８】
式（Ｉ）の環状ジアミンは、アニオン性界面活性剤と両性界面活性剤との比が高い組成物（比較例１及び実施例２）のおいてよりも、アニオン性界面活性剤と両性界面活性剤との比が低い組成物（本発明による実施例１及び実施例２）において、油脂洗浄性に関してより良好に効果を発揮することが明らかになった。
【国際調査報告】
2018522118.tif 000023
2018522118.tif 000024